(57)【要約】      （修正有）【課題】比較的安価で容易に組み立てられるとともに、消費者の感性に訴え、消費者の関心を惹くことができるポップ構造体を提供する。【解決手段】ポップ構造体は、上向きに開口する凹部を有する基台２と、凹部に入り込み基台に対して揺動可能な脚部、及び、脚部に支持されるとともに展示物を受け入れる受け部、を有する商品受け３と、を具備し、人の接触又は揺れに伴って商品受け上の展示物４が揺動すること、を特徴とする。【選択図】図１
0003231740.tif 000002
【実用新案登録請求の範囲】
【請求項１】
上向きに開口する凹部を有する基台と、
前記凹部に入り込み前記基台に対して揺動可能な脚部、及び、前記脚部に支持されるとともに展示物を受け入れる受け部、を有する商品受けと、
を具備し、
人の接触又は揺れに伴って前記商品受け上の前記展示物が揺動すること、
を特徴とするポップ構造体。
【請求項２】
前記脚部が、略水平方向に揺動する板状の揺動機構を含むこと、
を特徴とする請求項１に記載のポップ構造体。
【請求項３】
前記脚部が、略水平方向及び略上下方向に揺動する揺動機構を含むこと、
を特徴とする請求項１に記載のポップ構造体。
【考案の詳細な説明】
【技術分野】
【０００１】
本考案は、商品や商品サンプルなどの展示物を展示するポップ構造体に関する。
【背景技術】
【０００２】
店舗やショーウィンドウなどにおいて、商品等の展示物を看者に向けて展示する際に使用される支持体が知られている。例えば特許文献１には、扁平な紙材を折り込み、簡単に組立てて展示物を支持し、展示可能な展示物の支持体が開示されている。
【先行技術文献】
【特許文献】
【０００３】
【特許文献１】実用新案登録第３１６０５８０号公報
【考案の概要】
【考案が解決しようとする課題】
【０００４】
特許文献１の支持体は、比較的安価で、かつ容易に組み立てられるという利点を持つものの、展示物は支持体に載置されるだけで、載置された展示物に何らかの動きをもたらすものではない。したがって、消費者の感性に訴え、消費者の関心を惹くという点では十分とは言い難い。
【０００５】
そこで、本考案は、比較的安価で容易に組み立てられるとともに、消費者の感性に訴え、消費者の関心を惹くことができるポップ構造体の提供を目的とする。
【課題を解決するための手段】
【０００６】
上述した課題を解決すべく、本考案は、
上向きに開口する凹部を有する基台と、
前記凹部に入り込み前記基台に対して揺動可能な脚部、及び、前記脚部に支持されるとともに展示物を受け入れる受け部、を有する商品受けと、
を具備し、
人の接触又は揺れに伴って前記商品受け上の前記展示物が揺動すること、
を特徴とするポップ構造体
を提供する。
【０００７】
本考案のポップ構造体では、
前記脚部が、略水平方向に揺動する板状の揺動機構を含むこと、
が好ましい。
【０００８】
本考案のポップ構造体では、
前記脚部が、略水平方向及び略上下方向に揺動する揺動機構を含むこと、
が好ましい。
【考案の効果】
【０００９】
上記本考案のポップ構造体を用いることにより、比較的安価で容易に組み立てられるとともに、商品受けの揺動という動きをもって視覚的・感覚的に消費者の感性に訴えることができる。したがって、消費者の関心を惹くことができる。
【図面の簡単な説明】
【００１０】
【図１】本実施形態に係るポップ構造体１の概略図である。
【図２】商品受け３の概略図である。
【図３】商品受け３の揺動構造３１の一例を示す模式図である。
【図４】商品受け３の揺動構造３１の他の例を示す模式図である。
【図５】商品受け３の揺動構造３１を展開した状態の一例を示す図である。
【考案を実施するための形態】
【００１１】
以下、本考案の代表的な実施形態に係るポップ構造体について、図面を参照しつつ詳細に説明する。ただし、本考案は、本実施形態に限定されるものではない。また、図面は、本考案を概念的に説明するためのものであるから、理解容易のために、必要に応じて寸法、比又は数を誇張又は簡略化して表している場合もある。
【００１２】
図１に示すように、ポップ構造体１は、基台２及び商品受け３を具備し、人の接触又は揺れに伴って商品受け３上の展示物４が商品受け３とともに揺動する。展示物４の好適な例としては、花をイメージした春先に展開する化粧品、プルプル・モチモチした肌を表現したい化粧品・医薬品、プルプルとした食感を表現したいお菓子や食品類などが挙げられるが、これに限られるものではない。また、ポップ構造体１は、ギフトケースにも応用できるし、購入済みの商品を置く入れ物としても使用可能である。
【００１３】
基台２は、商品受け３を載置するための台であって、上板２１と、上向きに開口する凹部２２と、を有する。基台２は１段構成でもよいし、複数段構成でもよいが、展示のバリエーションを増やす観点からは複数段構成が好適である。本実施形態では、基台２は紙製であるが、基台２は樹脂シートで作製されてもよい。
【００１４】
展示物４が目立つように、基台２には背景２３が取り付けられてもよい。背景２３は基台２の後端から立ち上がっている。
【００１５】
商品受け３は、展示物４を揺動自在に支持する。商品受け３は、例えばポリエチレンテレフタレート（ＰＥＴ）などの樹脂材料で作製されてもよい。また、展示物４の視認性を高めるべく、商品受け３は透明であることが好ましい。
【００１６】
商品受け３は、図２に示すように、凹部２２に入り込み基台２に対して揺動する脚部３１と、脚部３１に支持されるとともに展示物４を受け入れる受け部３２と、を有する。
【００１７】
脚部３１は、揺動機構として、樹脂シートを使用したバネ構造を採用している。
一例を挙げると、図３に示すように、脚部３１は、略水平方向に揺動する板状の揺動機構３１Ａを含んでいてもよい。あるいは、図４に示すように、脚部３１は、略水平方向及び略上下方向に揺動する揺動機構３１Ｂを含んでいてもよい。図５に示す樹脂シート３１Ｃを一点鎖線に沿って折ることで、揺動機構３１Ａ，３１Ｂを構成することができる。なお、脚部３１の高さは、凹部２２の深さよりも長い。
【００１８】
受け部３２は箱状であり、上方に向かって開かれている（上向きに窪んでいる）が、展示物４を受け入れることができる限り筒状・椀状などの他の形状でもよい。
【００１９】
本実施形態に係るポップ構造体１では、商品等の展示物４を、床などの設置面からの高さを調整しつつディスプレイすることが可能である。したがって、展示の仕方に変化を付けることができる。
【００２０】
また、脚部３１の揺動構造として、樹脂シートを使用したバネ構造を採用しているため、脚部３１を軸に展示物４が揺れることとなる。したがって、振動や人の手が触れることで展示物４に動きを付けることが可能となる。
【００２１】
ここで、商品受け３の揺動動作は、上下・左右（水平方向）の首振り動作であるから、人目を引く視覚的訴求効果を期待でき、売場等でひときわ目立つ展示が可能となる。
【００２２】
また、本実施形態では、ばね等の比較的重量があり高価な部材を使わずに展示物４を揺動させているから、軽量で安価なポップ構造体１を構成することができる。また、シンプルな構成であり、組立てが容易である。
【００２３】
以上、本考案の代表的な実施形態について説明したが、本考案はこれらに限定されるものではなく、種々の設計変更が可能である。
【符号の説明】
【００２４】
１  ポップ構造体
２  基台
３  商品受け
４  展示物
【図１】
0003231740.tif 000003
【図２】
0003231740.tif 000004
【図３】
0003231740.tif 000005
【図４】
0003231740.tif 000006
【図５】
0003231740.tif 000007
【手続補正書】
【提出日】令和3年2月17日(2021.2.17)
【手続補正１】
【補正対象書類名】実用新案登録請求の範囲
【補正対象項目名】全文
【補正方法】変更
【補正の内容】
【実用新案登録請求の範囲】
【請求項１】
上向きに開口する凹部を有する基台と、
前記凹部に入り込み前記基台に対して揺動可能な脚部、及び、前記脚部に支持されるとともに展示物を受け入れる受け部、を有する商品受けと、
を具備し、
人の接触又は揺れに伴って前記商品受け上の前記展示物が揺動すること、
を特徴とするポップ構造体。
【請求項２】
前記脚部が、略水平方向に揺動する板状の揺動機構を含むこと、
を特徴とする請求項１に記載のポップ構造体。
【請求項３】
前記脚部が、略水平方向及び略上下方向に揺動するバネ構造からなる揺動機構を含むこと、
を特徴とする請求項１に記載のポップ構造体。